(57)【要約】      （修正有）【課題】人力作業でのバラの袋詰め作業でのショベル作業の負担軽減し、作業効率の良い袋充填用懸架台を提供する。【解決手段】開脚式懸架台８に金属棒７を横設する。金属棒７には充填袋受け枠６を固定し、袋を開口保持できるようにする。地面に略平行な部分を有する樋板１の先端は回転可能に金属棒７に取付け、他端の把手部５を持ち上げることにより土嚢等を袋内に流し込み可能とする。樋板１の動きに連動して充填袋受け枠６側を覆うことのできる溢れ防止カバー９を備える。運搬台は地面レベルに置いて使用することができるので、土砂などをかき寄せて積載することも可能でショベル作業の足腰の負担も解消でき、単独作業でも効果的な袋充填作業ができるので、特に災害時における緊急的作業での土嚢づくり作業といった緊急性を要する場面でも貢献できる。【選択図】図１
0003189281.tif 000002
【実用新案登録請求の範囲】
【請求項１】
開脚式懸架台に金属棒を横設するとともに該金属棒には充填袋受け枠を固定し、袋を開口保持できるようにするとともに地面に略平行な部分を有する樋板の先端は回転可能に該金属棒に取付け、他端の把手部を持ち上げることにより土嚢等を袋内に流し込み可能としたことを特徴とする袋充填用懸架台。
【請求項２】
樋板の動きに連動して袋の受け枠側を覆うことのできる溢れ防止カバーを備えたことを特徴とする請求項１記載の袋充填用懸架台。
【考案の詳細な説明】
【技術分野】
【０００１】
本考案は、バラ状の粒子を袋詰めする懸架台であり作業効率が格段に改善できる袋詰の方法である。
【背景技術】
【０００２】
袋詰めに関する考案は従来から様々なものがあり、その直近の事例として「特許文献」が参考になる。
【０００３】
先行技術では袋体開口部を保持した移動式スタンドのものがあるがあり、動力を利用したものではホッパーより落とし込む充填方法がある。
【先行技術文献】
【特許文献】
【０００４】
【特許文献１】登録実用第３０７１５１９号
【考案の概要】
【考案が解決しようとする課題】
【０００５】
従来技術は文献１に示すように、袋の開口状態を保持するスタンドに車輪を付け足したもので投入し易さと移動性の利便性はあるものの、依然として荷役のショベル作業の負担軽減を付与するものでなく作業効率を格段向上させたものとは言えない。
【課題を解決するための手段】
【０００６】
上記課題を解決するために本考案は、地面に横たえた樋が運搬台となるため膝より低い位置で土砂等の積載が出来、樋端の取手部を人力で持ち上げれば反対側端部に架台連結した待ち受ける投入口に重量落下させれば単発で袋充填が完了する。
【考案の効果】
【０００７】
本考案の効果によれば、土砂などを袋詰めする作業を単独でもでき、ショベルの作業の足腰の負担も軽減される効果が得られる。
【０００８】
高速な作業に対応すべく、把手部の持上げに連動して受け口に設置した溢れ防止カバーが連動して受け口を覆う位置に反転させる機能を備えたことを特徴とする。
【図面の簡単な説明】
【０００９】
【図１】本考案の実施態様を示す状態図である
【図２】本考案の側面図である
【図３】本考案の上面図である
【図４】本考案の溢れ防止板の動作側面図である
【図５】本考案の溢れ防止カバーの構成図である
【図６】本考案の実施例２の上面図である
【考案を実施するための形態】
【００１０】
図１は充填物を積載し把手部５を持上げて落下充填しているところの概要図で、袋詰め用懸架台は地面に平行な金属棒７を備えた開脚式架台１１に該金属棒が可動軸点になるように船底状樋板１のフレームパイプ３の先端２本を該鉄棒７のベアリング軸に接続し、地面に横たえた樋中に示した規定線量の土砂などの充填物を積載した後、該樋の把手部５を持上げることにより、架台付近に設けた充填袋受け枠口６に滑り落ちて単発で袋詰めができる。積載側の樋と開脚懸架台１１の2点の組み合わせで構成される袋充填用懸架台である。
樋の骨格となるフレームパイプ３は運搬や移動を考慮して軽量アルミパイプが望ましく、鉄棒部分は重量支持するので強度ある金属鉄棒が望ましい。樋は樋底面に複数の凸溝を流し方向に押し出した滑り抵抗値の少ない鉄板または樹脂版かＦＲＰが望ましい      
樋の形状は重量落下しやすいよう断面は船底のような逆アーチで、傾斜時に積載物が樋側板  は高くしてある。
樋を受ける架台の高さは、袋が満状態で底が地面に着く高さとするが、開脚角度のステーの固定位置調整より高さ調整もできる。
本考案のスタンドを応用して更に効率を求めれば、樋の底面積を広げることで積載増量し、流し口を２経路確保分流すれば受け口を図６のように２袋同時詰めができ倍効率となる。
土嚢投入口は袋を環状枠にアタッチメント２個で保持するが、袋口を突起止めなどで裂けたりしないため、受け口枠の形状に即した差込を被せる保持方法とした、滑り止め対策として袋の接触箇所はゴム被膜加工とする。
土嚢作りが目的の場合は緊急性が高く現場には動力源が無い人力作業となることが多く器具は軽量で嵩張らないもの求められるが、本考案はアルミ製の軽量設計で樋板部フレームと支持架台が分離保管や重ね置きもできるので収納にも便利である。
本考案は図２で示すように樋板１の端部を地面高さで使用できるので塵取りのように鋤簾でバラを引き寄せるだけで積載できるので、ショベル作業のような腰高持上げの負担もなく負担が大幅に軽減できる。
図３の上面図で示すように樋底の構造は直線の凸溝を流し口に向かって複数設けてあるのでスムーズな流し込みができるが、市販の屋根用波板鋼板でも代用できる。
図４は溢れ防止カバー９の反転動作を示したもので傾斜により、樋側とカバーとが固定距離を保つ支持棒４で可動連結しており、本体の急速な持上げ傾斜より一気に流れて溢れるタイミングで受け口をカバーが囲う位置に反転させて充填物をカバーに衝突させて袋内に落下する機能がある。
図５は溢れ防止カバー９の可動部を示した分解図で土嚢袋の取り付けする環状鉄枠部全体に硬質ウレタンゴムの被膜による滑り止め加工をして、同じく環状のアタッチメント内側もウレタンゴム皮膜をすれば嚢袋口の周に沿って袋口を内から外に折り返したところを、二箇所の半円形状のアタッチメントを上から差し込めば、従来技術の突起物に刺し止めして重量裂けすることなく保持できる。
樋板１の断面図はＵ字溝を広げた形状で先に向かって側面板を高くすることで流し込み時の溢れの対策をしている。
樋板１を受ける鉄骨は先細りしたフレーム上に樋を乗せた格好になるが、幅広側にゴムカバーの把手部をもつパイプフレーム３で、材質は鉄製より軽量なアルミ材が望ましい。
開脚式懸架台１１の脚底にストッバー付きのキャスターを付加すれば集積し易い場所移動ができる効率も高まる。  
【実施例１】
【００１１】
以下、本考案の実施形態を説明する。図１はこの考案の袋充填用架台の実施形態を示したもので、船底形状の樋板１と土嚢袋を受ける４脚架台上部に平行金属棒７の中心位置に樋の延長フレームをフック２点掛けして回転可動に金具固定し、樋地面に置いた樋板１上にバラを定量積載した後に把手部５を持ち上げれば、土嚢等が樋面を流れて土嚢等は開脚式懸架台１１側の金属棒７より先方側に金属棒７に設置した環樋板先端に備えた環状の充填袋受け枠６に向かって滑り落とすことができ単発で規定容量の袋充填が完了する。      
【実施例２】
【００１２】
図６は二袋同時に詰めることのできるよう２口用幅広樋１３を備え、２口用架台１４から受け口を並列に２個並べたもので１回の持ち上げに対して同時に詰め込みでき効率的にしたもので、均等に分流図るため２口用仕切板１５を設けた。
【産業上の利用可能性】
【００１３】
本考案は、緊急性の高い治山治水災害時の土嚢詰め作業に貢献できる。  
【符号の説明】
【００１４】
１  樋板
２  樋側板
３  パイプフレーム  
４  支持棒
５  把手部
６  充填袋受け枠
７  金属棒
８  開脚式懸架台
９  溢れ防止カバー
１０  袋止アタッチメント
１１  開脚式懸架台
１２  受け枠滑り止めゴム
１３  ２口用幅広樋
１４  ２口用架台
１５  ２口用仕切り板
【図１】
0003189281.tif 000003
【図２】
0003189281.tif 000004
【図３】
0003189281.tif 000005
【図４】
0003189281.tif 000006
【図５】
0003189281.tif 000007
【図６】
0003189281.tif 000008